(57)【要約】【課題】給紙される用紙とその下層の用紙との擦れが同位置に集中するのを回避し、用紙表面の破損を抑制する。【解決手段】ピックアップロール５８に給紙される用紙Ｐ（１枚目の用紙）の動きに伴い、下層の用紙Ｐ（２枚目に用紙）に対するピックアップロール５８の相対位置が、給紙方向に沿って変化するように構成する。これにより、給紙される用紙Ｐ（１枚目の用紙）とその下層の用紙Ｐ（２枚目の用紙）との擦れが同位置に集中するのを回避し、用紙表面の破損を抑制できる。【選択図】図２
2007112616.tif 000002
【特許請求の範囲】
【請求項１】
シート収容部に積載収容されたシートに、ピックアップロールが接触して回転し、前記シート収容部から前記シートを給紙する給紙装置において、
前記ピックアップロールに給紙されるシートの動きに伴い、下層のシートに対する前記ピックアップロールの相対位置が、給紙方向に沿って変化することを特徴とする給紙装置。
【請求項２】
前記ピックアップロールを支持する支持部材は、本体フレームに揺動可能に支持されると共に、前記ピックアップロールは、該ピックアップロールが最上位のシートに接触するとき、前記ピックアップロールの回転中心と前記支持部材の揺動軸を結ぶ線が給紙方向と平行とならない位置に支持され、かつ前記ピックアップロールの回転中心から周面までの回転半径が一定でないことを特徴とする請求項１に記載の給紙装置。
【請求項３】
前記ピックアップロールの軸方向の断面は、円形状であり、その回転軸は中心軸からずれた位置にあることを特徴とする請求項２の給紙装置。
【請求項４】
前記ピックアップロールは、シートを搬送開始する際に接触する周面の位置が一定であり、
かつ前記ピックアップロールを回転駆動させるモータの回転速度は、前記ピックアップロールの回転中心から周面までの回転半径の逆数に略比例するように制御されることを特徴とする請求項２又は請求項３に記載の給紙装置。
【請求項５】
請求項１〜４のいずれか１項に記載の給紙装置を備えたことを特徴とする画像形成装置。
【発明の詳細な説明】
【技術分野】
【０００１】
本発明は、シートを給紙する給紙装置及びその給紙装置を備える画像形成装置に関する。
【背景技術】
【０００２】
シートを給紙する給紙装置としては、シート収容部の最上にあるシートを送り出すピックアップロールと、このピックアップロールの下流側に配置されたフィードロールと、このフィードロールの下側に対向して配置されたリタードロールとで構成される給紙装置が知られている。
【０００３】
この構成によれば、ピックアップロールが、シート収容部に積載収容されたシートのうち、最上にある１枚目のシートに圧接して、１枚目のシートをシート収容部から送り出す。
【０００４】
シート収容部から送り出された１枚目のシートは、フィードロールとリタードロールとの間に導入され、そのシートの上面にフィードロールが当接して、下流へ搬送される。
【０００５】
このとき、シート収容部から複数のシートが重なって送り出された場合は、フィードロールに対向して配置されたリタードロールが、２枚目以降のシートへ下面側から搬送抵抗を付与することにより、シートの重送を防止する。すなわち、フィードロールとリタードロールとで、重なったシートを捌いて（分離して）、シートを一枚ずつ給紙する。
【０００６】
また、シートを給紙する給紙装置としては、特許文献１に開示される給紙装置が公知である。特許文献１の給紙装置では、シートの給送遅れ（滑り）を検出し、遅れがあるときはピックアップロールがシートに接触する荷重を大きくすることで滑りを小さくし、ミスフィード（シートが送れないこと）を防止する。
【特許文献１】特開平０７−３１５５９５号公報
【発明の開示】
【発明が解決しようとする課題】
【０００７】
しかしながら、特許文献１の給紙装置では、ピックアップロールの位置が固定されているため、ピックアップロールがシートに接触する荷重を大きくすると、給紙されるシート（1枚目シート）とその下層のシート（２枚目シート）との擦れが強くなり、しかも同じ位置で擦れるため、シート表面が破損しやすくなる。特にコート紙などはダメージが大きい。
【０００８】
本発明は、上記事実を考慮し、給紙されるシートとその下層のシートとの擦れが同位置に集中するのを回避し、シート表面の破損を抑制できる給紙装置及びその給紙装置を備えた画像形成装置を提供することを目的とする。
【課題を解決するための手段】
【０００９】
本発明の請求項１に係る給紙装置は、シート収容部に積載収容されたシートに、ピックアップロールが接触して回転し、前記シート収容部から前記シートを給紙する給紙装置において、前記ピックアップロールに給紙されるシートの動きに伴い、下層のシートに対する前記ピックアップロールの相対位置が、給紙方向に沿って変化することを特徴とする。
【００１０】
この構成によれば、ピックアップロールが、シート収容部に積載収容されたシートに、接触して回転し、シート収容部からシートが給紙される。
【００１１】
ここで、本発明の請求項１の構成では、ピックアップロールに給紙されるシートの動きに伴い、下層のシートに対するピックアップロールの相対位置が、給紙方向に沿って変化する。このため、給紙されるシートとその下層のシートとの擦れが同位置に集中するのを回避し、シート表面の破損を抑制できる。
【００１２】
なお、本明細書において、シートとは、紙、プラスチックフィルム、その他のシート状のものをいう。給紙装置は、このシートを給送するものであり、紙を給送するものに限られない。
【００１３】
ピックアップロールに給紙されるシートの動きに伴い、下層のシートに対するピックアップロールの相対位置が、給紙方向に沿って変化する本発明の請求項１の構成は、本発明の請求項２に記載のように、ピックアップロールを支持する支持部材が、本体フレームに揺動可能に支持されると共に、前記ピックアップロールが該ピックアップロールが最上位のシートに接触するとき、ピックアップロールの回転中心と前記支持部材の揺動軸を結ぶ線が給紙方向と平行とならない位置に支持され、かつ前記ピックアップロールの回転中心から周面までの回転半径が一定でない構成としてもよい。
【００１４】
ピックアップロールの回転中心から周面までの回転半径が一定でない本発明の請求項２の構成は、本発明の請求項３に記載のように、ピックアップロールの軸方向の断面が、円形状であり、その回転軸が中心軸からずれた位置にある構成としてもよい。
【００１５】
本発明の請求項４に係る給紙装置は、請求項２又は請求項３に記載の構成において、ピックアップロールが、シートを搬送開始する際に接触する周面の位置が一定であり、かつ前記ピックアップロールを回転駆動させるモータの回転速度は、前記ピックアップロールの回転中心から周面までの回転半径の逆数に略比例するように制御されることを特徴とする。
【００１６】
ピックアップロールの回転中心から周面までの回転半径が一定でない構成では、ピックアップロールの給紙速度が変動する。本発明の請求項４の構成では、シートを搬送開始する際に接触する周面の位置を一定とすることと、ピックアップロールを回転駆動させるモータの回転速度を、ピックアップロールの回転中心から周面までの回転半径の逆数に略比例させることにより、ピックアップロールの給紙速度の変動による影響を低減できる。
本発明の請求項５に係る画像形成装置は、請求項１〜４のいずれか１項に記載の給紙装置を備えたことを特徴とする。
【発明の効果】
【００１７】
本発明は、上記構成としたので、給紙されるシートとその下層のシートとの擦れが同位置に集中するのを回避し、シート表面の破損を抑制できる。
【発明を実施するための最良の形態】
【００１８】
以下に、本発明の給紙装置及びその給紙装置を備えた画像形成装置に係る実施形態の一例を図面に基づき説明する。
【００１９】
〔第１実施形態〕
まず、本発明の画像形成装置としての複写機の全体構成について説明する。図１には、本実施形態に係る複写機を前方からみた正面図が示されている。
【００２０】
図１に示すように、本実施形態に係る複写機１０は、装置上部に配置された画像読取ユニット（スキャンユニット）１２と、装置下部に配置された画像記録ユニット（プリンタユニット）１４とから構成されている。画像読取ユニット１２は、原稿の画像を読み取り、その読み取った画像を電気的な画像信号に変換し、画像記録ユニット１４は、画像読取ユニット１２が変換した画像信号に基づいて画像記録を行う。
【００２１】
画像読取ユニット１２は、読み取り対象となる原稿を載せるプラテンガラス１８を備えている。プラテンガラス１８の上方には、プラテンガラス１８に載せられた原稿を保持するプラテンカバー１６が開閉可能に取り付けられている。
【００２２】
この画像読取ユニット１２では、プラテンガラス１８に載せられた原稿へ、露光光学系２８から照射される照射光を図１における左右方向へ沿って走査し、原稿から反射した反射光を検出し、電気的な画像信号に変換するように構成されている。
【００２３】
一方、画像記録ユニット１４は、その下部に、シートとしての用紙Ｐを積載収容する給紙トレイ（シート収容部）４６を備えている。
【００２４】
この給紙トレイ４６は、複写機１０の前方へ引き出し可能にガイドレール４８に支持されている。給紙トレイ４６の下部に設けられた凸部５０がガイドレール４８に案内されることにより、給紙トレイ４６は、複写機１０へ装着されると共に、複写機１０の前方へ引き出される。
【００２５】
給紙トレイ４６の上方には、後述する給紙装置によって給紙トレイ４６から給紙された用紙Ｐを、画像を記録する画像記録部３１へ搬送する複数の搬送ロール７２対が設けられている。画像記録部３１は、一方向（図１において時計方向）へ回転する感光体ドラム３２を備えている。
【００２６】
感光体ドラム３２の周囲には、感光体ドラム３２の回転方向上流から順に、感光体ドラム３２の表面を帯電させる帯電ロール３４と、感光体ドラム３２へ露光し、画像読取ユニット１２が変換した画像信号に基づいて感光体ドラム３２上に静電潜像を形成する露光装置３０と、感光体ドラム３２上に形成された静電潜像へトナーを付着させて現像する現像ロール３８と、感光体ドラム３２上に形成されたトナー画像を用紙Ｐへ転写する転写ロール４０が設けられている。
【００２７】
感光体ドラム３２の用紙搬送方向下流側には、用紙Ｐへ転写されたトナー画像を定着させる一対の定着ロール４２が設けられている。一対の定着ロール４２の用紙搬送方向下流側には、トナー画像が定着された用紙Ｐを排紙トレイ２０へ排出する一対の排出ロール４４が配置されている。
【００２８】
次に、本実施形態に係る複写機の一連の複写動作（画像形成動作）について説明する。
【００２９】
画像読取ユニット１２において、プラテンに載せられた原稿から画像を読み取り、電気的な画像信号に変換する。この画像信号は、露光装置３０へ入力される。
【００３０】
一方、画像記録ユニットにおいては、感光体ドラム３２の表面が、帯電ロール３４により一様に帯電する。帯電した感光体ドラム３２の表面は、露光装置３０により露光され、画像読取ユニット１２が変換した画像信号に応じた静電潜像が感光体ドラム３２の表面に形成される。
【００３１】
感光体ドラム３２に形成された静電潜像は、現像ロール３８によって現像されることにより、感光体ドラム３２上にトナー画像が形成される。感光体ドラム３２に形成されたトナー画像は、転写ロール４０により、給紙トレイ４６から搬送される用紙Ｐに転写される。
【００３２】
トナー像が転写された用紙Ｐは、一対の定着ロール４２より画像が定着された後、排出ロール４４により排紙トレイ２０へ排出される。以上のように、複写機１０において、一連の複写動作（画像形成動作）が行われる。
【００３３】
ここで、給紙トレイ４６から用紙Ｐを給紙する給紙装置について説明する。
【００３４】
給紙装置６０は、給紙トレイ４６の先端側（図１において右端側）の上部で軸支されたピックアップロール５８を備えている。図２、３に示すように、ピックアップロール５８は、軸方向の断面が円形状をしており、その中心軸からずれた位置にある回転軸５６によって、支持部材５９に回転可能に支持されている。すなわち、ピックアップロール５８の回転中心から周面までの回転半径が一定でない構成となっている。
【００３５】
支持部材５９は、下方が開放されたコの字形状をしており、その下部にピックアップロール５８が取り付けられている。支持部材５９の上部の先端側（図２において、右端側）には、揺動軸５７が貫通しており、支持部材５９は、この揺動軸５７を介して、本体フレーム５２に揺動可能に支持されている。また、ピックアップロール５８が最上位の用紙Ｐに接触するとき、その回転中心と支持部材５９の揺動軸５７を結ぶ線が給紙方向と平行とならないように構成されている。
【００３６】
この揺動軸５７には、ギア７７が取り付けられており、このギア７７に噛合するギア７３が設けられ、さらに、このギア７３に噛合するギア７１が、ピックアップロール５８の回転軸に取り付けられている。
【００３７】
また、本体フレーム５２の外面には、モータ７５が取り付けられており、このモータ７５が揺動軸５７を回転させることにより、ギア７７、ギア７３、ギア７１を介して、ピックアップロール５８が用紙搬送方向に直交する方向を軸方向としてこの軸周りに回転駆動される。
【００３８】
このピックアップロール５８が、給紙トレイ４６に積載収容された複数の用紙Ｐのうち、最上にある用紙Ｐの上面の先端側に圧接して、回転駆動することにより、給紙トレイ４６内から用紙Ｐが送り出される。
【００３９】
モータ７５には、モータドライバ６６を介して、シーケンスコントローラ７４と接続されており、モータ７５の駆動は、シーケンスコントローラ７４によって制御される。
【００４０】
支持部材５９の上方には、ピックアップロール５８の用紙への接触、非接触を制御すると共に、ピックアップロール５８が用紙Ｐに接触する接触荷重を調整するためのリニアアクチュエータ６１が設けられている。このリニアアクチュエータ６１は、ボイスコイルモータ、ソレノイドなどを用いたアクチュエータであり、支持部材５９へ突出する押圧部材６３が、支持部材５９の端部を押圧して、支持部材５９を用紙Ｐ側へ揺動させ、支持部材５９に支持されたピックアップロール５８が用紙Ｐに付与する荷重が調整されると共に、ピックアップロール５８の用紙への接触、非接触が制御される。
【００４１】
リニアアクチュエータ６１には、アンプ１を介して、シーケンスコントローラ７４と接続されており、リニアアクチュエータ６１の駆動は、シーケンスコントローラ７４によって制御される。
【００４２】
支持部材５９の端部には、引張バネ６５が取り付けられており、リニアアクチュエータ６１が駆動していない状態では、引張バネ６５が支持部材５９を上方へ引き上げて、ピックアップロール５８の脱荷重がなされ、ピックアップロール５８と用紙Ｐは非接触状態となる。
【００４３】
ピックアップロール５８の用紙搬送方向下流側には、図１に示すように、フィードロール７０が軸支されている。フィードロール７０の下側には、リタードロール６２がフィードロール７０に対向して配置されている。これにより、フィードロール７０とリタードロール６２との間に、給紙トレイ４６内から送り出された用紙Ｐを挟持するニップ部Ｎが形成される。
【００４４】
フィードロール７０は、駆動制御部（図示省略）によって、用紙搬送方向に直交する方向を軸方向としてこの軸周りに回転すると共に、その回転駆動が制御される。このフィードロール７０が、給紙トレイ４６から送り出されニップ部Ｎに導入される用紙Ｐの上面（表面）に当接して、回転駆動することにより、用紙Ｐが下流へ搬送される。
【００４５】
リタードロール６２は、対向配置された一対のフレーム６７に回転可能に支持され、用紙搬送方向に直交する方向を軸方向としてこの軸周りに、回転する構成となっている。リタードロール６２の回転軸には、トルクリミッター（図示省略）が取り付けられている。このため、リタードロール６２の表面に用紙Ｐが当接し、この用紙Ｐとの摩擦によって、リタードロール６２へ回転力が付与されると、リタードロール６２は、所定の回転負荷を生じるブレーキとして機能する。
【００４６】
このように、リタードロール６２がブレーキとして機能することにより、複数枚の用紙Ｐが重なってニップ部Ｎに導入された場合に、その用紙Ｐへ、その用紙Ｐの下面側（裏面側）から搬送抵抗を付与して、フィードロール７０が搬送する用紙Ｐの重送を防止する。
【００４７】
このように、給紙トレイ４６からニップ部Ｎへ複数の用紙Ｐが重なって送り出せられると、フィードロール７０が上側の用紙Ｐ（１枚目の用紙Ｐ）へ搬送力を付与する一方、下側の用紙Ｐ（２枚目以降の用紙Ｐ）へは、リタードロール６２が、搬送抵抗を付与する。すなわち、フィードロール７０とリタードロール６２とで、重なった用紙Ｐを分離して（さばいて）、用紙Ｐを一枚ずつ給紙する。
【００４８】
なお、ニップ部Ｎより、用紙搬送方向下流側には、搬送される用紙Ｐの先端検知するシートセンサ（図示省略）が配置されている。シートセンサは、シーケンスコントローラ７４に接続され、シートセンサ７９が、搬送される用紙Ｐの先端を検知すると、検知した信号がシーケンスコントローラ７４に送られる。シーケンスコントローラ７４は、この信号に基づき、リニアアクチュエータ６１を制御してピックアップロール５８の脱荷重を行う。
【００４９】
次に、第１実施形態に係る給紙装置について、作用を説明する。
【００５０】
上記のように構成すると共に、揺動軸５７からピックアップロール５８の回転軸までの長さＡ（図５参照）を１６ｍｍとし、用紙Ｐの上面から揺動軸５７までの長さＢ（図５参照）を２３．３ｍｍとし、ピックアップロール５８の直径を２４ｍｍとしたときにおいて、ピックアップロール５８の最大回転半径Ｍ（図５参照）が鉛直方向を向いているときを基準Ｓ（図５参照）とし、ここからθ度（図５参照）、回転したとき、ピックアップロール５８の荷重が作用する接触位置Ｃ（揺動軸５７からの水平方向距離）の変化が、図４に示されている。この条件の下では、図４に示すように、ピックアップロール５８の回転により接触位置が、約６ｍｍの変化幅をもって変化する。
【００５１】
このように、接触位置Ｃが変化することにより、ピックアップロール５８が用紙Ｐを給紙する際に、ピックアップロール５８に給紙される用紙Ｐ（１枚目の用紙）の動きに伴い、下層の用紙Ｐ（２枚目に用紙）に対するピックアップロール５８の相対位置が、給紙方向に沿って変化する。
【００５２】
このため、給紙される用紙Ｐ（１枚目の用紙）とその下層の用紙Ｐ（２枚目の用紙）との擦れが同位置に集中するのを回避し、用紙表面の破損を抑制できる。
【００５３】
なお、第１実施形態では、ピックアップロール５８の軸方向の断面は、円形状であり、ピックアップロール５８の回転軸は中心軸からずれた位置にあったが、本発明のピックアップロールとしては、これに限られず、例えば、図７に示すように、断面が楕円形状であってもあってもよく、また、断面が角を丸めた多角形状であってもよく、また、円形状のローラの周面に長さの異なる突起を設けたものであってもよく、ピックアップロール５８の回転中心から周面までの回転半径が一定でない構成であれば構わない。
【００５４】
また、第１実施形態では、ピックアップロール５８を支持する支持部材５９が、揺動する構成となっていたが、本発明の構成としては、この構成に限られず、給紙トレイ４６側が揺動する構成であってもよい。
【００５５】
また、第１実施形態では、ピックアップロール５８を支持する支持部材５９は、本体フレーム５２に揺動可能に支持されると共に、最上位の用紙Ｐに接触するとき、その回転中心と支持部材５９の揺動軸５７を結ぶ線が給紙方向と平行とならない位置にピックアップロール５８が支持され、かつピックアップロール５８の回転中心から周面までの回転半径が一定でない構成とすることで、ピックアップロール５８に給紙される用紙Ｐの動きに伴い、下層の用紙Ｐに対するピックアップロール５８の相対位置が、給紙方向に沿って変化するようにしたが、本発明の構成としては、これに限られず、ピックアップロール５８を偏心していない回転軸により回転させると共に、ピックアップロール５８を支持する支持部材５９を給紙方向に沿ってスライド移動させる構成であってもよく、ピックアップロール５８に給紙される用紙Ｐの動きに伴い、下層の用紙Ｐに対するピックアップロール５８の相対位置が、給紙方向に沿って変化する構成であればよい。
【００５６】
〔第２実施形態〕
次に、本発明の第２実施形態について説明する。なお、第１実施形態と同一の部分には同一の符号を付し、説明を省略する。また、画像形成装置の全体構成は、第１実施形態と同一であるので、説明を省略する。
【００５７】
ピックアップロール５８が偏心ロールだと、回転中心から周面までの回転半径が一定でないため、図７に示すように、給紙速度が変動する。図７は、平均速度を１としたときの速度比を、ピックアップロール５８の最大回転半径Ｍ（図５参照）が鉛直方向を向いているときを基準Ｓ（図５参照）とし、ここから回転した回転角度θ（図５参照）ごとに示したものである。
【００５８】
第２実施形態は、この給紙速度の変動の影響を低減するための構成である。
ピックアップロール５８の回転軸５６には、ピックアップロール５８の回転位置を検知するための遮光プレート８０が設けられている。支持部材５９の外面には、遮光プレート８０が遮光するタイミングを検知する光量センサ８２が設けられている。
【００５９】
光量センサ８２には、凹部が形成されており、光量センサ８２は、この凹部内に光を照射する発光部と発光部が照射した光を受光する受光部を備えている。光量センサ８２は、遮光プレート８０が凹部に通過した際に、発光部から照射された光を遮り、受光部が受光する光量が減少することにより、遮光プレート８０が遮光するタイミングを検知する。
【００６０】
ピックアップロール５８で用紙Ｐを送り出し、下流にあるシート検知センサで用紙Ｐを検知されたら、ピックアップロール５８は脱荷重し、光量センサ８２で遮光プレート８０を検知するタイミングでピックアップロール５８を停止させ、次の搬送は、毎回、この角度から開始するように構成されている。
【００６１】
また、ピックアップロール５８を回転駆動させるためのモータ７５は、ステッピングモータを用い、単位時間あたりの駆動パルス数を角度に応じて補正し（平均パルス数を速度比で割った値を出力）、ピックアップロール５８を回転駆動させるモータ７５の回転速度を、ピックアップロール５８の回転中心から周面までの回転半径の逆数に略比例させる構成となっている。
【００６２】
次に、第２実施形態に係る給紙装置について、図１０に示す制御フローに基づき、作用を説明する。
【００６３】
給紙装置６０において給紙が開始されると、ステップ１００で、リニアアクチュエータ６１の押圧部材６３が支持部材５９の端部を押圧することにより、ピックアップロール５８が用紙Ｐに接地する。
【００６４】
次に、ステップ１０２で、ピックアップロール５８の回転が開始される。これにより、ピックアップロール５８が、給紙トレイ４６から用紙Ｐを送り出す。
【００６５】
次に、ステップ１０４で、シートセンサが用紙Ｐを検知するか否かを判定し、用紙Ｐを検知しない場合は、ステップ１１０が繰り返される。用紙Ｐを検知した場合は、ステップ１０６で、ピックアップロール５８の脱荷重が行われる。このとき、ピックアップロール５８は回転したままである。
【００６６】
次に、ステップ１０８で、光量センサ８２が遮光プレート８０を検知するか否かを判定し、遮光プレート８０を検知しない場合は、ステップ１０８が繰り返される。遮光プレート８０を検知した場合は、ステップ１１６で、ピックアップロール５８の回転が停止され、ピックアップロール５８の動作が終了する。
【００６７】
このように、用紙Ｐを搬送開始する際に接触する周面の位置を、毎回、同じ位置から開始されるようにすることと、ピックアップロール５８を回転駆動させるモータ７５の回転速度を、ピックアップロール５８の回転中心から周面までの回転半径の逆数に略比例させることにより、ピックアップロール５８の給紙速度の変動による影響を低減できる。本発明は、上記の実施の形態に限るものではなく、本発明の要旨を逸脱しない限りにおいて、種々の変形、変更、改良が可能である。
【図面の簡単な説明】
【００６８】
【図１】図１は、本発明の第１実施形態に係る複写機を前方からみた正面図である。
【図２】図２は、第１実施形態に係る給紙装置の構成を示す正面図である。
【図３】図３は、第１実施形態に係る給紙装置の構成を示す側面図である。
【図４】図４は、第１実施形態に係るピックアップロールにおける接触位置Ｃの変化を示す図である。
【図５】図５は、図４を説明するための参考図である。
【図６】図６は、第１実施形態に係るピックアップロールの変形例を示す図である。
【図７】図７は、第１実施形態に係るピックアップロールにおける給紙速度の変動を示す図である。
【図８】図２は、第２実施形態に係る給紙装置の構成を示す正面図である。
【図９】図３は、第２実施形態に係る給紙装置の構成を示す側面図である。
【図１０】図１０は、第２実施形態に係る給紙開始からピックアップロールの動作終了までの制御フローを示す図である。
【符号の説明】
【００６９】
１０   複写機（画像形成装置）
４６   給紙トレイ（シート収容部）
５２   本体フレーム
５７   揺動軸
５８   ピックアップロール
５９   支持部材
６０   給紙装置
Ｐ   用紙（シート）
【図１】
2007112616.tif 000003
【図２】
2007112616.tif 000004
【図３】
2007112616.tif 000005
【図４】
2007112616.tif 000006
【図５】
2007112616.tif 000007
【図６】
2007112616.tif 000008
【図７】
2007112616.tif 000009
【図８】
2007112616.tif 000010
【図９】
2007112616.tif 000011
【図１０】
2007112616.tif 000012